(57)【要約】【課題】ケース内に埃等が混入するのを防止する。【解決手段】上シェル３または下シェル４に設けられた上ライナ８Ｕ、８Ｄを、対向面３ｃ、４ｃの外周側から上シェル３の外周リブ３ａと下シェル４の外周リブ４ａとの突合部分１１を覆うまで延ばしたカバー部１９が形成されている。【選択図】  図２
2004280960.tif 000002
【特許請求の範囲】
【請求項１】
上シェルと下シェルとを備えた扁平なケース内に、ディスク状の情報記録媒体を回転自在に収容したディスクカートリッジにおいて、
前記ケースの側壁が、前記上シェルおよび前記下シェルの外周に設けられた外周リブを付き合わせることにより形成されており、
前記上シェルおよび前記下シェルの前記情報記録媒体に対向する対向面にそれぞれ設けられたライナと、
前記上シェルまたは前記下シェルに設けられた前記ライナを、前記対向面の外周側から前記上シェルの外周リブと前記下シェルの外周リブとの突合部分を覆うまで延ばして形成されたカバー部と
を備えたものであることを特徴とするディスクカートリッジ。
【請求項２】
前記上シェルもしくは前記下シェルの前記対向面上に該対向面から突出した突出部が設けられており、前記カバー部が、前記突出部において前記ライナを折り曲げて、前記突合部分を覆うまで延ばすことにより形成されているものであることを特徴とする請求項１に記載のディスクカートリッジ。
【請求項３】
前記上シェルまたは前記下シェルの前記外周リブの内面側に、テーパ部が形成されていることを特徴とする請求項１または請求項２に記載のディスクカートリッジ。
【請求項４】
前記側壁の内側面と前記情報記録媒体の外周との間に、前記ライナの前記情報記録媒体側への移動を規制する規制リブが設けられていることを特徴とする請求項１から請求項３のいずれか１項に記載のディスクカートリッジ。
【発明の詳細な説明】
【０００１】
【発明の属する技術分野】
本発明は、ケース内に情報記録媒体を収容してなり、この情報記録媒体を回転させて磁気記録再生に利用するディスクカートリッジに関し、特に、ケース内面に除塵用のライナを設けた構造のディスクカートリッジに関するものである。
【０００２】
【従来の技術】
従来、フレキシブルなポリエステルシート等からなる円盤状の支持体の両面に磁性体層が形成された可撓性磁気記録メディアを、例えば上下シェルを接合してなる、磁気ヘッド挿入用の開口部を有するケース内に回転自在に収容したディスクカートリッジが提供されている。この種のディスクカートリッジは、その取扱いの容易性、低コストといった利点から、主としてコンピュータ用の記録媒体として用いられている。このディスクカートリッジにおいては、上下シェルにおける情報記録媒体に対向する対向面に情報記録媒体に付着した塵埃等の汚れを除去するライナが設けられている。
【０００３】
また、上述した上シェルおよび下シェルは、略矩形状の扁平なものであり、上シェルおよび下シェルの外周には側壁を構成する外周リブがそれぞれ設けられている。そして、ディスクカートリッジは、下シェルのリブ上に上シェルの外周リブを突き合わせた状態で上シェルと下シェルとが接合された構造を有している。したがって、ディスクカートリッジの側壁には上下シェルのリブが接触した突合部分が全周にわたって形成されている。
【０００４】
【発明が解決しようとする課題】
ここで、従来のディスクカートリッジにおいては、外周リブ以外の部分において溶接等により接合されており、ケースの外周の突合部分は接合されていない状態にある。したがって、この突合部分に形成された隙間から埃等がケース内に入ってしまい、この埃等がケース内に入ると情報記録媒体に付着して、情報の記録再生の妨げとなってしまうという問題がある。特に、情報記録媒体の大容量化・高密度記録化を図る際には微小な埃であっても記録再生の妨げとなってしまう。
【０００５】
そこで、本発明は、ケース内に埃等が混入するのを防止することができるディスクカートリッジを提供することを目的とするものである。
【０００６】
【課題を解決するための手段】
本発明のディスクカートリッジは、上シェルと下シェルとを備えた扁平なケース内に、ディスク状の情報記録媒体を回転自在に収容したディスクカートリッジにおいて、前記ケースの側壁が、前記上シェルおよび前記下シェルの外周に設けられた外周リブを突き合わせることにより形成されており、前記上シェルおよび前記下シェルの前記情報記録媒体に対向する対向面にそれぞれ設けられたライナと、前記上シェルまたは前記下シェルに設けられた前記ライナを、前記対向面の外周側から前記上シェルの外周リブと前記下シェルの外周リブとの突合部分を覆うまで延ばして形成されたカバー部とを備えたものであることを特徴とするものである。
【０００７】
ここで、カバー部は、上シェルの対向面に設けられたライナにより形成されたものであってもよいし、下シェルの対向面に設けられたライナにより形成されたものであってもよい。さらに、上シェルおよび下シェルに設けられた双方のライナを延ばすことにより２つのカバー部を形成するようにしてもよい。
【０００８】
また、上シェルもしくは下シェルの対向面上に対向面から突出した突出部を設けるようにしてもよい。このとき、カバー部は、突出部においてライナを折り曲げて、突合部分まで延ばすことにより形成される。
【０００９】
さらに、上シェルまたは下シェルの外周リブの内面が、テーパ状に形成されていてもよい。このとき、上シェルもしくは下シェルのいずれか一方の外周リブの内面がテーパ状に形成されていてもよいし、双方のガイドリブの内面がテーパ状に形成されていてもよい。
【００１０】
また、側壁の内側面と情報記録媒体の外周との間に、ライナの情報記録媒体側への移動を規制する規制リブが設けられていてもよい。
【００１１】
【発明の効果】
本発明のディスクカートリッジによれば、上シェルまたは下シェルに設けられたライナを対向面の外周側から延ばすことにより形成された、ケースの側壁に形成された上シェルと下シェルとの突合部分を覆うカバー部を設けることにより、上シェルと下シェルとの突合部分から埃等がハウジング内に混入したときであっても、その埃等はカバー部に付着するため情報記録媒体に付着するのを防止することができる。
【００１２】
なお、上シェルもしくは下シェルの対向面上に対向面から突出した突出部を設け、カバー部が、突出部においてライナを折り曲げて、突合部分まで延ばすことにより形成されるようにすれば、ディスクカートリッジの製造工程において上シェルと下シェルを突き合わせる際にカバー部が上シェルと下シェルに挟まるのを防止して製造しやすいディスクカートリッジを提供することができる。
【００１３】
また、上シェルまたは下シェルの外周リブの内面に、テーパ部が形成された構成にすれば、カバー部を形成しているライナをテーパ部に貼り付けたときにカバー部が側壁の内側面に密着するようになり、突合部分から入る埃等をより確実に付着させることができる。一方、カバー部に対面する側の外周リブにテーパ部を設けるようにすれば、ディスクカートリッジの製造時において上シェルと下シェルとを突き合わせた際に、テーパ部と接触したカバー部は内側に入る方向に移動するため、上シェルと下シェルとの間にカバー部が挟まるのを防止することができる。
【００１４】
また、側壁の内側面と情報記録媒体の外周との間に、ライナの情報記録媒体側への移動を規制する規制リブが設けられるようにすれば、カバー部が情報記録媒体と接触して情報記録媒体の回転の妨げとなるのを防止することができる。
【００１５】
【発明の実施の形態】
以下、図面を参照して本発明の実施の形態を詳細に説明する。図１は本発明のディスクカートリッジの好ましい実施の形態を示す斜視図である。なお、図１（ａ）はディスクカートリッジ１の上面から見た斜視図を示し、図１（ｂ）はディスクカートリッジ１を下面からみた斜視図を示している。このディスクカートリッジ１は、例えば合成樹脂から形成された上シェル３および下シェル４を接合して形成された扁平なケース内に回転自在に収容された円盤状の情報記録媒体５を収容したものである。
【００１６】
上シェル３および下シェル４は扁平なほぼ矩形状とされており、上下シェル３、４の角付近の４つの部位８においてたとえば溶接等により接合されている。上シェル３および下シェル４にはディスクドライブの記録再生ヘッドが情報記録媒体５にアクセスするための開口部６、６がそれぞれ設けられており、開口部６、６にはシャッター部材７が開閉可能に組み付けられている。さらに、下シェル４の中央部分には、情報記録媒体５のセンタコア１０を臨ませるための円形状の中心孔４Ｈが形成されている。
【００１７】
情報記録媒体５は、たとえばフレキシブルなポリエステルシート等からなる円盤状のベースの両面に磁性体層が形成されたものであり、中央部においてセンタコア１０に固定されている。センタコア１０は、ディスクカートリッジ１が図示しないディスクドライブに装填されたときに、該ディスクドライブの回転スピンドルと係合するものである。
【００１８】
図２は図１のディスクカートリッジ１の側壁周辺部位を示す模式図である。図２（ａ）において、上シェル３の外周に上外周リブ３ａが設けられており、下シェル４の外周には下外周リブ４ａが設けられている。そして、上外周リブ３ａと下外周リブ４ａとは突き合わされている。よって、ディスクカートリッジ１の側壁１Ｓには上外周リブ３ａと下外周リブ４ａとの突合部分１１が形成されている。上述のように、上シェル３と下シェル４は、角の部位８（図１参照）において接合されており、突合部分１１においては上シェル３と下シェル４とは接合されていない。
【００１９】
側壁１Ｓの内側面１Ａ側には上シェル３に設けられた上ライナ８Ｕを対向面３ｃの外周側から突合部分１１を覆うように延ばして形成されたカバー部１９が設けられている。具体的には、図２（ｂ）に示すように、上ライナ８Ｕは、対向面３ｃに接着剤や溶着等により対向面３ｃの外周側まで貼り付けられている。そして上ライナ８Ｕは外周側において折れ曲がり、いずれの面にも貼り付けられていない状態で対向面４ｃ側に向かって延びている。そして、上ライナ８Ｕを対向面３ｃから突合部分１１を覆う長さまで延びて、カバー部１９が形成された状態になっている。したがって、カバー部１９の長さＤ２は、上シェルの対向面３ｃから側壁に形成された突合部分１１までの長さＤ１よりも長くなるように形成されることになる。
【００２０】
すると、突合部分１１からケース内に入る埃等の汚れは、カバー部１９に付着することになり、情報記録媒体５に付着するのを防止することができる。すなわち、上シェル３と下シェル４とは突合部分１１においては接合されておらず、溶接部位により接合されているため、角の部位８（図１参照）突合部分１１において隙間が形成されている場合があり、この隙間から埃等がケース内に混入して情報記録媒体５に付着すると、情報の記録再生に障害がでてしまう。このとき、突合部分１１をカバー部１９を用いて覆うことにより、突合部分１１から混入する埃等が情報記録媒体５に付着するのを防止することができるようになる。
【００２１】
なお、図２（ｂ）において、カバー部１９が上ライナ８Ｕから延びて設けられた場合について例示しているが、図３（ａ）に示すように、カバー部１９が下ライナ８Ｄから延びて設けるようにしてもよい。さらに、図３（ｂ）に示すように、カバー部１９が上ライナ８Ｕから延びて形成されているとともに、カバー部１９が下ライナ８Ｄから延びて形成されているような、２つのカバー部１９、１９を設けるようにしてもよい。
【００２２】
図４は本発明のディスクカートリッジの第２の実施の形態を示す模式図であり、図４を参照してディスクカートリッジについて説明していく。なお、図４において図３と同一の構成を有する部位には同一の符号を付してその説明を省略する。
【００２３】
図４（ａ）のディスクカートリッジ２０Ａにおいて、上シェル３の外周リブ３ａによって形成される側壁１Ｓの内側面１Ａにテーパ部３Ｔが設けられており、テーパ部３Ｔに上ライナ８Ｕが貼り付けられている。そして、上ライナ８Ｕがテーパ部３Ｔから突合部分１１を覆うように延びてカバー部１９が形成された状態になっている。このように、側壁１Ｓにテーパ部３Ｔを設け、このテーパ部３Ｔに上ライナ８Ｕを貼り付けることにより、上ライナ８Ｕから延びたカバー部１９を突合部分１１に密着させることができ、カバー部１９が突合部分１１から入り込む埃等を確実に取ることができる。
【００２４】
一方、図４（ｂ）のディスクカートリッジ２０Ｂにおいては、カバー部１９と対向する下シェル４側にテーパ部４Ｔが設けられている。このテーパ部４Ｔには、対向面４ｃから延びた下ライナ８Ｄが貼り付けられている。これにより、上シェル３と下シェル４とを突き合わせるときにカバー部１９がテーパ部４Ｔに沿ってケース内に折り込まれることになり、カバー部１９をケース内に折り込む手間の効率化を図ることができる。
【００２５】
図５は本発明のディスクカートリッジの第３の実施の形態を示す模式図であり、図５を参照してディスクカートリッジについて説明していく。なお、図５において図３と同一の構成を有する部位には同一の符号を付してその説明を省略する。
【００２６】
図５（ａ）のディスクカートリッジ３０Ａは、上シェル３の対向面３ｃに突起部３１Ａが設けられており、図５（ａ）においては、突起部３１Ａは、内側面１Ａと対向面３ｃとの角に設けられている。そして、対向面３ｃに貼り付けられた上ライナ８Ｕが突起部３１Ａにおいて折れ曲がり、対向面３ｃから突合部分１１を覆うように延びてカバー部１９が形成された状態になっている。このとき、上ライナ８Ｕは突起部３１Ａの接触する部位において接着剤等により貼り付けられている。このように、上ライナ８Ｕを折り曲げる部位に突起部３１Ａを設けることにより、対向面３ｃから延びた上ライナ８Ｕを確実に突合部分１１に向かって延ばすことができるようになる。
【００２７】
なお、図５（ａ）においては、突起部３１Ａが角に設けられている場合について例示しているが、図５（ｂ）のディスクカートリッジ３０Ｂのように、リブ状の突起部３１Ｂを設けるようにしてもよい。
【００２８】
さらに、図５（ａ）、（ｂ）においては、上ライナ８Ｕのみならず、下ライナ８Ｄをも対向面４ｃの外周側から突合部分１１まで延びたカバー部１９が形成されている。ここで、上外周リブ３ａの厚さＵＤは、下外周リブ４ａの厚さＤＤよりも小さくなるように形成されている。すると、側壁１Ｓの内側面１Ａには凹部が形成された状態になり、この凹部に下ライナ８Ｄにより形成されたカバー部１９が入り込むようになっている。これにより、上シェル３と下シェル４とを突き合わせるときに下ライナ８Ｄ側のカバー部１９が突合部分１１の中に挟まれにくくすることができるため、ディスクカートリッジ１を容易に製造することができる。
【００２９】
図６は本発明のディスクカートリッジの第４の実施の形態を示す模式図であり、図６を参照してディスクカートリッジについて説明していく。なお、図６において図３と同一の構成を有する部位には同一の符号を付してその説明を省略する。
【００３０】
図６のディスクカートリッジ４０において、下シェル４の対向面４ｃに規制リブ４１が設けられており、規制リブ４１と側壁１Ｓとの間にカバー部１９が設けられた構造を有している。したがって、カバー部１９が情報記録媒体５側に入り込んで情報記録媒体５と接触し回転の妨害となるようなことを規制リブ４１により防止することができる。
【００３１】
本発明の実施の形態は上記実施の形態に限定されない。たとえば、上記各実施の形態において、情報記録媒体として磁気ディスクの場合について例示しているが、光ディスク、光磁気ディスク、ハードディスク等の記録媒体についても本発明のディスクカートリッジを適用することができる。
【００３２】
また、上記各実施の形態において、上シェル３と下シェル４の外周リブ３ａ、４ａに形成された突合部分１１を覆う場合について例示しているが、上シェル３および下シェル４の隅角部に略斜めにそれぞれ内側リブが設けられている場合、この上下シェル３、４の内部リブの突合部分についてもカバー部を設けるようにしてもよい。
【図面の簡単な説明】
【図１】本発明によるディスクカートリッジの第１の実施の形態を示す斜視図
【図２】図１のディスクカートリッジにおける側壁周辺部位を示す模式図
【図３】図２のディスクカートリッジにおけるカバー部の別の実施の形態を示す模式図
【図４】本発明によるディスクカートリッジの第２の実施の形態を示す斜視図
【図５】本発明によるディスクカートリッジの第３の実施の形態を示す斜視図
【図６】本発明によるディスクカートリッジの第４の実施の形態を示す斜視図
【符号の説明】
１、２０Ａ、２０Ｂ、３０Ａ、３０Ｂ、４０    ディスクカートリッジ
１Ｓ    側壁
１Ａ    内側面
３      上シェル
３Ｔ、４Ｔ      テーパ部
３ａ    上外周リブ
３ｃ    対向面
４Ｔ    テーパ部
４      下シェル
４ａ    下外周リブ
４Ｈ    中心孔
４ｃ    対向面
５      情報記録媒体
８Ｕ    上ライナ
８Ｄ    下ライナ
１０    センタコア
１１    突合部分
１９    カバー部
４１    規制リブ
【図１】
2004280960.tif 000003
【図２】
2004280960.tif 000004
【図３】
2004280960.tif 000005
【図４】
2004280960.tif 000006
【図５】
2004280960.tif 000007
【図６】
2004280960.tif 000008